(57)【要約】      （修正有）【課題】部品点数や部品コストを抑えつつ、室内ユニットへの振動伝播を効果的に低減することのできる排水ポンプを提供する。【解決手段】排水ポンプ１を取付天板に取付固定するための取付部３２に、弾性変形によって取付天板５０への振動伝播を防止する波状板部３７が設けられ、その波状板部３７の弾性変形によってモータ４０から発生する振動が吸収・緩和される。【選択図】図３
2020016175.tif 000002
【特許請求の範囲】
【請求項１】
モータで回転されることにより水を吸い上げて外部に排出する回転羽根が収容された排水ポンプであって、
前記排水ポンプを取付部材に取付固定するための取付部を有し、該取付部に、弾性変形によって前記取付部材への振動伝播を防止する波状板部が設けられていることを特徴とする排水ポンプ。
【請求項２】
前記波状板部は、前記取付部における前記取付部材に対する対接面に対して垂直方向に波打つ形状を有することを特徴とする請求項１に記載の排水ポンプ。
【請求項３】
前記排水ポンプの上部を覆う上カバーを有し、
前記取付部は、前記上カバーから上向きに立ち上がる立板部と、該立板部から外向きに延在するとともに前記取付部材に対接する対接面を持つ固定板部とを有し、
前記固定板部における前記立板部側の根元部分に前記波状板部が設けられていることを特徴とする請求項２に記載の排水ポンプ。
【請求項４】
前記波状板部は、前記取付部における前記取付部材に対する対接面に平行方向に波打つ形状を有することを特徴とする請求項１に記載の排水ポンプ。
【請求項５】
前記排水ポンプの上部を覆う上カバーを有し、
前記取付部は、前記上カバーから上向きに立ち上がる立板部と、該立板部の外側で該立板部に対向するように配置される対向板部と、該対向板部から外向きに延在するとともに前記取付部材に対接する対接面を持つ固定板部とを有し、
前記立板部と前記対向板部とを繋ぐように前記波状板部が設けられていることを特徴とする請求項４に記載の排水ポンプ。
【発明の詳細な説明】
【技術分野】
【０００１】
本発明は、排水ポンプに係り、例えば、空気調和機の室内ユニットで用いられ、熱交換器で凝縮した水を受け入れるドレンパン内のドレン水を室外に排出するのに好適な排水ポンプに関する。
【背景技術】
【０００２】
室内の天井に埋込むタイプの空気調和機の室内ユニットにおいては、冷房運転時に空気中の水分が凝縮して熱交換器に付着し、付着した水分により生じた水滴が熱交換器の下方に設けられるドレンパン内に滴下する。このドレンパン内に溜まったドレン水を室内ユニット外部（室外）に排出するために、排水ポンプ（ドレンポンプともいう）が用いられる。
【０００３】
このような排水ポンプ、及び該排水ポンプが装備された空気調和機の主要部の従来例を図６〜図８に示す。図６及び図７（Ａ）、（Ｂ）に示す従来例の排水ポンプ１０１は、回転羽根を収容するポンプ室（いずれも不図示）と、ポンプ室の下部に設けられた管状の吸込口１１２と、ポンプ室から側方に向けて延びる管状の吐出口１１３とが形成された合成樹脂製のハウジング１１０を備える。ハウジング１１０の上部（上部開口）には、シール部材としてのＯリング（不図示）を介して円筒状の合成樹脂製の下カバー（ハウジングカバーともいう）１２０が取り付けられている。下カバー１２０は、ハウジング１１０に設けられたスナップフィットアーム１１１の弾性力を利用したスナップフィット機能によりハウジング１１０に着脱自在に取り付けられる。下カバー１２０の上部には、リード線１４２を引き出すためのリード線引出部１４１を外側に露出させるようにして、ステータ及びロータ等からなるモータ１４０が搭載されている。モータ１４０の駆動軸は、ポンプ室内に配置された回転羽根の回転軸に連結されている。下カバー１２０の上部（上部開口）には、モータ１４０の上側を覆う天井部付き短円筒状の合成樹脂製の上カバー（モータカバーともいう）１３０が取り付けられている。上カバー１３０は、上カバー１３０に設けられたスナップフィットアーム１３１の弾性力を利用したスナップフィット機能により下カバー１２０に着脱自在に取り付けられる。上カバー１３０の上部（天井部）には、当該排水ポンプ１０１を室内ユニット内の取付天板１５０に取り付けるための取付部１３２が設けられている。
【０００４】
図示従来例の排水ポンプ１０１では、上カバー１３０の上部（天井部）の外周寄りの３箇所に、角度が不等ピッチになった取付部１３２が形成されている。各取付部１３２の上端から水平方向外側に延びる固定板部１３５には、締結固定用のねじ１６０が挿入される挿通穴１３６が形成されている。この排水ポンプ１０１は、図８に示すように、固定板部１３５（の上面）と取付天板１５０（の下面）との間に防振用ゴム（ゴムブッシュともいう）１５５を挟んだ状態で、挿通穴１３６を通してねじ１６０を取付天板１５０（に設けられたねじ穴）にねじ止めする（締め付ける）ことにより、取付天板１５０に固定（締結固定）される。
【０００５】
この排水ポンプ１０１では、図８に示すように、取付部１３２によって空気調和機の室内ユニットの取付天板１５０に対して固定され、モータ１４０によりハウジング１１０内（ポンプ室）に収容された回転羽根が回転されると、ドレンパン１９０に溜まったドレン水が吸込口１１２から吸い上げられ、ポンプ室を介して吐出口１１３から吐出される。吐出されたドレン水は、吐出口１１３に接続された配管１１３Ａを介して一旦上方に導かれた後、側方に導かれて室外に排水される（例えば、下記特許文献１、２等を併せて参照）。
【先行技術文献】
【特許文献】
【０００６】
【特許文献１】特開２０１２−０８２７９０号公報
【特許文献２】特開２０１０−２７５９７２号公報
【発明の概要】
【発明が解決しようとする課題】
【０００７】
ところで、この種のモータを使用した排水ポンプは、モータから発生する振動が空気調和機の室内ユニットに伝播して騒音を出し、静音性を悪化させる。そのため、前述したように、排水ポンプを室内ユニットに取り付ける際に、防振用ゴム等を排水ポンプの取付部と室内ユニットの取付天板との間に配置し、振動の伝播を低減している。
【０００８】
しかしながら、上記従来の排水ポンプでは、排水ポンプの取付部と室内ユニットの取付天板との間に防振用ゴム等を配置する必要があり、部品点数や部品コストが高騰する懸念がある。近年は、部品点数や部品コスト削減のため、防振用ゴム等を省略し、排水ポンプ（の取付部）を室内ユニット（の取付天板）に直接取り付ける事例が増えており、その場合、排水ポンプの振動が室内ユニットに伝達し、共振して大きな騒音が発生することがある。
【０００９】
本発明は、上記事情に鑑みてなされたもので、その目的とするところは、部品点数や部品コストを抑えつつ、室内ユニットへの振動伝播を効果的に低減することのできる排水ポンプを提供することにある。
【課題を解決するための手段】
【００１０】
上記課題を解決するために、本発明に係る排水ポンプは、基本的に、モータで回転されることにより水を吸い上げて外部に排出する回転羽根が収容された排水ポンプであって、前記排水ポンプを取付部材に取付固定するための取付部を有し、該取付部に、弾性変形によって前記取付部材への振動伝播を防止する波状板部が設けられていることを特徴としている。
【００１１】
好ましい態様では、前記波状板部は、前記取付部における前記取付部材に対する対接面に対して垂直方向に波打つ形状を有する。
【００１２】
更に好ましい態様では、前記排水ポンプの上部を覆う上カバーを有し、前記取付部は、前記上カバーから上向きに立ち上がる立板部と、該立板部から外向きに延在するとともに前記取付部材に対接する対接面を持つ固定板部とを有し、前記固定板部における前記立板部側の根元部分に前記波状板部が設けられる。
【００１３】
別の好ましい態様では、前記波状板部は、前記取付部における前記取付部材に対する対接面に平行方向に波打つ形状を有する。
【００１４】
更に好ましい態様では、前記排水ポンプの上部を覆う上カバーを有し、前記取付部は、前記上カバーから上向きに立ち上がる立板部と、該立板部の外側で該立板部に対向するように配置される対向板部と、該対向板部から外向きに延在するとともに前記取付部材に対接する対接面を持つ固定板部とを有し、前記立板部と前記対向板部とを繋ぐように前記波状板部が設けられる。
【発明の効果】
【００１５】
本発明によれば、排水ポンプを取付部材に取付固定するための取付部に、弾性変形によって取付部材への振動伝播を防止する波状板部が設けられ、その波状板部の弾性変形によってモータから発生する振動が吸収・緩和されるので、部品点数や部品コストを増やすことなく、室内ユニットへの振動伝播を効果的に低減することができ、もって、空気調和機の騒音を低減することができる。
【図面の簡単な説明】
【００１６】
【図１】本発明に係る排水ポンプの第１実施形態を示す斜視図。
【図２】図１に示される排水ポンプを示し、（Ａ）は平面図、（Ｂ）は（Ａ）のＵ−Ｕ矢視断面図。
【図３】本発明に係る排水ポンプの第１実施形態が取付天板に取り付けられた空気調和機の主要部を示す要部拡大図。
【図４】本発明に係る排水ポンプの第２実施形態を示す斜視図。
【図５】図４に示される排水ポンプの平面図。
【図６】従来例の排水ポンプを示す斜視図。
【図７】図６に示される排水ポンプを示し、（Ａ）は平面図、（Ｂ）は（Ａ）のＵ−Ｕ矢視断面図。
【図８】従来例の排水ポンプが取付天板に取り付けられた空気調和機の主要部を示す要部拡大図。
【発明を実施するための形態】
【００１７】
以下、本発明の実施形態を図面を参照して説明する。
【００１８】
なお、各図において、部材間に形成される隙間や部材間の離隔距離等は、発明の理解を容易にするため、また、作図上の便宜を図るため、誇張して描かれている場合がある。
【００１９】
［第１実施形態］
図１及び図２（Ａ）、（Ｂ）は、本発明に係る排水ポンプの第１実施形態を示し、図１は斜視図、図２（Ａ）は平面図、図２（Ｂ）は図２（Ａ）のＵ−Ｕ矢視断面図である。また、図３は、本発明に係る排水ポンプの第１実施形態が取付天板に取り付けられた空気調和機の主要部を示す要部拡大図である。なお、図２（Ａ）は、図１に示される排水ポンプ１からモータ４０を取り外した状態を示している。
【００２０】
図示実施形態の排水ポンプ１は、ドレンパン９０に溜まったドレン水を吸い上げて室外に排水するためのものであり、上カバー３０に設けられた取付部３２以外の基本構成（ハウジング、下カバー、回転羽根、モータ等の構成）は図６〜図８に示される従来例の排水ポンプ１０１とほぼ同じである。したがって、図６〜図８に基づき前述した従来例の排水ポンプ１０１の各部に対応する部分には同様の符号（１００を差し引いた符号）を付して詳細説明を省略し、以下においては、本発明の特徴部分である取付部３２の構成を重点的に説明する。
【００２１】
なお、図示実施形態の排水ポンプ１の基本構成については、上記特許文献１、２を参照することにより、その開示を本明細書に組み込む。
【００２２】
本実施形態の排水ポンプ１は、前述した従来例の排水ポンプ１０１と同様構成の、ハウジング１０、下カバー２０、及び上カバー３０を有し、それらがスナップフィットアーム１１、３１の弾性力を利用したスナップフィット機能により着脱自在に取り付けられている。ハウジング１０内（ポンプ室）には回転羽根が回転自在に収容され、下カバー２０及び上カバー３０の内側にはモータ４０が配設されている。モータ４０の上側（すなわち、排水ポンプ１の上部）を覆う上カバー３０の上部（天井部）の外周寄りの３箇所には、周方向に不等ピッチに配置された脚状の取付部３２が一体成形により形成されている。
【００２３】
本実施形態の排水ポンプ１において、各取付部３２は、上カバー３０の上部（天井部）の外周付近から上向き（垂直方向）に立ち上がる概略矩形板状の立板部３３と、立板部３３の上端縁部から外向き（水平方向）に延在する固定板部３５とを有する。固定板部３５の上面（平坦面）は、取付部材としての取付天板５０（の下面）に対接する対接面となっており、固定板部３５の外端付近に、締結固定用のねじ（締結部材）６０が挿入される挿通穴３６が形成されている。
【００２４】
また、固定板部３５における立板部３３側の根元部分に、固定板部３５及び立板部３３より薄板とされ、上下方向（換言すれば、固定板部３５の上面であって取付天板５０に対する対接面に対して垂直方向）に波打つ形状の弾性変形可能な波状板部３７が形成されている。本例において、波状板部３７は、固定板部３５の板厚の範囲内で波打つように形成されている（特に、図２（Ｂ）参照）。
【００２５】
また、各取付部３２の周方向両側部には、側面視略三角形状の一対のリブ板部３９が一体的に形成（一体成形）されている。より詳細には、各取付部３２に対応する一対のリブ板部３９は立板部３３の周方向両端に位置しており、それぞれが上カバー３０の上部の面から上方に立板部３３の上部に至る位置まで立設している。
【００２６】
この排水ポンプ１は、図３に示すように、固定板部３５（の上面）を取付天板５０（の下面）に直接（つまり、防振用ゴム等を挟むことなく）当接させた状態で、挿通穴３６を通してねじ６０を取付天板５０（に設けられたねじ穴）にねじ止めする（締め付ける）ことにより、取付天板５０に固定（締結固定）される。
【００２７】
かかる構成の排水ポンプ１では、前述した従来例の排水ポンプ１０１と同様に、取付部３２によって空気調和機の室内ユニットの取付天板５０に対して固定され、モータ４０によりハウジング１０内（ポンプ室）に収容された回転羽根が回転されると、ドレンパン９０に溜まったドレン水が吸込口１２から吸い上げられ、ポンプ室を介して吐出口１３から吐出される。吐出されたドレン水は、吐出口１３に接続された配管１３Ａを介して室外に排水される。
【００２８】
その際、モータ４０から発生する振動（縦方向及び横方向の振動）が取付部３２に伝わるが、その振動は当該取付部３２に設けられた波状板部３７が弾性変形することによって（空気調和機の室内ユニットの取付天板５０に伝わる前に）吸収・緩和され、空気調和機の室内ユニットの取付天板５０への振動伝播が低減されることになる。
【００２９】
このように、本実施形態の排水ポンプ１においては、排水ポンプ１を取付天板５０に取付固定するための取付部３２に、弾性変形によって取付天板５０への振動伝播を防止する波状板部３７が設けられ、その波状板部３７の弾性変形によってモータ４０から発生する振動が吸収・緩和されるので、部品点数や部品コストを増やすことなく、室内ユニットへの振動伝播を効果的に低減することができ、もって、空気調和機の騒音を低減することができる。
【００３０】
［第２実施形態］
図４及び図５は、本発明に係る排水ポンプの第２実施形態を示し、図４は斜視図、図５は平面図である。なお、図５は、図４に示される排水ポンプ２からモータ４０を取り外した状態を示している。
【００３１】
図示第２実施形態の排水ポンプ２は、上記第１実施形態の排水ポンプ１と、取付部３２以外はほぼ同じ構成である。そのため、上記第１実施形態の排水ポンプ１の各部に対応する部分には共通の符号を付して重複説明を省略し、以下においては、相違点を重点的に説明する。
【００３２】
本第２実施形態の排水ポンプ２は、上記第１実施形態の排水ポンプ１と同様に、モータ４０の上側（すなわち、排水ポンプ１の上部）を覆う上カバー３０の上部（天井部）の外周寄りの３箇所に、周方向に不等ピッチに配置された脚状の取付部３２が一体成形により形成されている。
【００３３】
本実施形態の排水ポンプ２において、各取付部３２は、上カバー３０の上部（天井部）の外周付近から上向き（垂直方向）に立ち上がる概略矩形板状の立板部３３と、該立板部３３の外側で該立板部３３に対向するように配置される概略矩形板状の対向板部３４と、該対向板部３４の上端縁部から外向き（水平方向）に延在する固定板部３５とを有する。そして、立板部３３の一側部もしくはその近傍と対向板部３４の一側部もしくはその近傍とを繋ぐように、立板部３３、対向板部３４、及び固定板部３５より薄板とされ、横方向（換言すれば、固定板部３５の上面であって取付天板５０に対する対接面に対して平行方向）に波打つ形状の弾性変形可能な波状板部３８が設けられている。図示例では、対向板部３４の（上下方向の）高さは、立板部３３の高さより若干短くされ、対向板部３４の（上下方向の）高さの全長にわたって前記波状板部３８が形成されている。固定板部３５の上面（平坦面）は、取付部材としての取付天板５０（の下面）に対接する対接面となっており、固定板部３５の外端付近に、締結固定用のねじ（締結部材）６０が挿入される挿通穴３６が形成されている。
【００３４】
また、各取付部３２の周方向両側部には、側面視略三角形状の一対のリブ板部３９が一体的に形成（一体成形）されている。より詳細には、各取付部３２に対応する一対のリブ板部３９は立板部３３の周方向両端に位置しており、それぞれが上カバー３０の上部の面から上方に立板部３３の上部に至る位置まで立設している。
【００３５】
かかる構成の排水ポンプ２においても、上記第１実施形態の排水ポンプ１と同様に、モータ４０から発生する振動（縦方向及び横方向の振動）が取付部３２に伝わるが、その振動は当該取付部３２に設けられた波状板部３８が弾性変形することによって（空気調和機の室内ユニットの取付天板５０に伝わる前に）吸収・緩和され、空気調和機の室内ユニットの取付天板５０への振動伝播が低減されることになる。
【００３６】
このように、本実施形態の排水ポンプ２においても、排水ポンプ１を取付天板５０に取付固定するための取付部３２に、弾性変形によって取付天板５０への振動伝播を防止する波状板部３８が設けられ、その波状板部３８の弾性変形によってモータ４０から発生する振動が吸収・緩和されるので、部品点数や部品コストを増やすことなく、室内ユニットへの振動伝播を効果的に低減することができ、もって、空気調和機の騒音を低減することができる。
【００３７】
なお、排水ポンプ１、２に設けられる取付部３２の個数や配置構成、形成材料等、各取付部３２に設けられる波状板部３７、３８の形状等は、上記実施形態に限られないことは勿論である。
【００３８】
また、上述した実施形態では、排水ポンプ１、２の全ての取付部３２に波状板部３７、３８が設けられているが、全ての取付部３２に波状板部３７、３８を設けなくてもよい（換言すれば、一部の取付部３２について波状板部を省略してもよい）ことは勿論である。
【００３９】
さらに、上述した各実施形態では、複数の波状板部３７、３８の何れもが同じ形状を有しているが、本発明はこれに限られるものではなく、異なる形状の波状板部３７、３８が混在するように組み合わされていてもよい。
【符号の説明】
【００４０】
１    排水ポンプ（第１実施形態）
２    排水ポンプ（第２実施形態）
１０    ハウジング
１１    スナップフィットアーム
１２    吸込口
１３    吐出口
１３Ａ  配管
２０    下カバー
３０    上カバー
３１    スナップフィットアーム
３２    取付部
３３    立板部
３４    対向板部（第２実施形態）
３５    固定板部
３６    挿通穴
３７    波状板部（第１実施形態）
３８    波状板部（第２実施形態）
３９    リブ板部
４０    モータ
５０    取付天板（取付部材）
６０    ねじ（締結部材）
９０    ドレンパン
【図１】
2020016175.tif 000003
【図２】
2020016175.tif 000004
【図３】
2020016175.tif 000005
【図４】
2020016175.tif 000006
【図５】
2020016175.tif 000007
【図６】
2020016175.tif 000008
【図７】
2020016175.tif 000009
【図８】
2020016175.tif 000010